(57)【特許請求の範囲】
【請求項１】
扉に固着される受座に軸受孔を形成し、ハンドルの施錠軸を該軸受孔に嵌挿し、施錠軸の後端部に装着した止め金板によって扉を固定枠体に対して錠止するようにした扉用ロックハンドル装置において、
前記軸受孔の軸線方向長さの全部又は一部にテーパー状軸受孔部を形成し、前記施錠軸の一部にテーパー状軸受孔部に嵌合されるテーパー状施錠軸部を形成し、テーパー状軸受孔部の内周面とテーパー状施錠軸部の一方に潤滑油剤溜り部を形成し、該潤滑油剤溜り部に潤滑油剤を充填し、施錠軸の前記テーパー状施錠軸部を軸受孔の前記テーパー状軸受孔部に引き寄せるようにして、ハンドルと受座を組立てたことを特徴とする扉用ロックハンドル装置。
【請求項２】
潤滑油剤溜り部を軸線方向に沿った複数本の縦溝によって構成したことを特徴とする請求項１に記載の扉用ロックハンドル装置。
【請求項３】
潤滑油剤溜り部として円周方向に沿った横溝を付加し、前記縦溝と連絡させたことを特徴とする請求項２に記載の扉用ロックハンドル装置。
【請求項４】
潤滑油剤溜り部を軸線方向に沿って進行する螺旋状溝によって構成したことを特徴とする請求項１に記載の扉用ロックハンドル装置。
【発明の詳細な説明】
【０００１】
【発明の属する技術分野】
本発明は電気機器や電子機器などを格納する筐体などに使用される扉用ロックハンドル装置に関するものである。
【０００２】
【従来の技術】
扉に固着される受座に軸受孔を形成し、ハンドルの施錠軸を該軸受孔に嵌挿し、施錠軸の後端部に装着した止め金板によって扉を固定枠体に対して錠止するようにした扉用ロックハンドル装置は既に知られている。
【０００３】
この扉用ロックハンドル装置では、軸受孔は軸線方向に沿った全ての横断面が同一である円筒形内面に形成されており、これに嵌められるハンドルの施錠軸も軸線方向に沿った全ての横断面が同一の円柱状外面に形成されている。
【０００４】
施錠軸の外径寸法は、回転可能な嵌合状態を成立させるために軸受孔の内径寸法より若干小さく設計されているのであるが、実際の製造にあたっては金型の製作誤差、製品の成型誤差や仕上げ処理誤差などのために、施錠軸の外周面と軸受孔の内周面の間に不要なギャップが生まれてしまうことが多い。
【０００５】
このギャップのために施錠軸の軸芯と軸受孔の軸芯を同一直線状に整列させることができず、施錠軸と軸受孔間にガタを生じさせることになった。
ガタの存在によって、施錠軸の軸線が軸受孔の軸線に対して少し傾斜して、ハンドルと受座の組立がなされることがあり、あるいは使用中にそのような状態に移行してしまうことがある。
【０００６】
施錠軸の軸線が傾いた不正規状態では、施錠軸に装着した止め金板も正規位置から少し傾いた姿勢にあるため、ハンドルを回して止め金板を受金部に係合させたとき、止め金板が全面にて受金部に密接せず、少し斜めに浮いた状態で受け金部に係合することがある。
【０００７】
このような係合状態では、施錠後に振動衝撃の負荷により止め金板が正規位置に戻ったとき、止め金板と受金部の間に隙間が生じることになり、錠止が緩むことになる。
また、施錠軸の軸線が斜めになった状態でハンドルを強引に回すと、軸受孔の前後の孔縁部が擦られ、その擦り回転が反復されることによって孔縁部が次第に削り取られ、ガタが拡大することにもなった。
【０００８】
【発明が解決しようとする課題】
したがって本発明の目的は、施錠軸の軸芯と軸受孔の軸芯を容易かつ的確に合致させることができ、かつ施錠軸の回転が円滑になされる扉用ロックハンドル装置を提供することである。
【０００９】
【課題を解決するための手段】
以下、添付図面中の参照符号を使用して説明すると、本発明の対象とする扉用ロックハンドル装置は、扉１に固着される受座２に軸受孔３を形成し、ハンドル４の施錠軸５を該軸受孔３に嵌挿し、施錠軸５の後端部に装着した止め金板６によってト扉１を固定枠体に対して錠止するようにしたものである。
【００１０】
本発明の特徴とするところは、前記軸受孔３の軸線方向長さの全部又は一部にテーパー状軸受孔部３ａを形成し、前記施錠軸５の一部にテーパー状軸受孔部３ａに嵌合されるテーパー状施錠軸部５ａを形成し、テーパー状軸受部３ａの内周面とテーパー状施錠軸部５ａの一方に潤滑油剤溜り部７を形成し、該潤滑油剤溜り部７に潤滑油剤８を充填し施錠軸５の前記テーパー状施錠軸部５ａを軸受孔３の前記テーパー状軸受孔部３ａに引き寄せるようにして、ハンドル４と受座２を組立てることである。
【００１１】
請求項２の発明は、請求項１の発明の前記構成に加えて、潤滑油剤溜り部７を軸線方向に沿った複数本の縦溝によって構成したことである。
請求項３の発明は、請求項２の発明の前記構成に加えて、潤滑油剤溜り部７として円周方向に沿った横溝を付加し、前記縦溝と連絡させたことである。
請求項４の発明は、請求項１の発明の前記構成に加えて、潤滑油剤溜り部７を軸線方向に沿って進行する螺旋溝によって構成したことである。
【００１２】
【発明の作用】
本発明の扉用ロックハンドル装置では、テーパー状軸受孔部３ａのテーパー状内周面に向かってテーパー状施錠軸部５ａのテーパー状外周面を引き寄せることによって、施錠軸５の軸芯と軸受孔３の軸芯は同一直線上に整列合致する。
それとともに、潤滑油剤溜り部７から安定に補給される潤滑油剤８によって前記テーパー状内周面とテーパー状外周面の界面には適当な潤滑油剤薄膜が形成されているため、施錠軸５の回転は円滑になされる。
【００１３】
【発明の詳細な形態】
図示の実施例では、テーパー状軸受孔部３ａは前側の大径な円筒状軸受孔部３ｂと後側の小径な円筒状軸受孔部３ｃの間に形成されており、潤滑油剤溜り部７はテーパー状軸受孔部３ａと小径な円筒状軸受部３ｃの両者に連続して形成されている。この潤滑油剤溜り部７は軸線方向に沿って長い縦溝状に形成され、等角度間隔に複数条設けられている。潤滑油剤８としてはグリースが使用されている。
【００１４】
施錠軸５のテーパー状施錠軸部５ａは大径な前側の円柱状施錠軸部５ｂと小径な後側の円柱状施錠軸部５ｃとの間に形成されており、前側の円柱状施錠軸部５ｂの外周面には防水用O−リング９の嵌込み用環状溝１０を形成してある。
【００１５】
後側の小径な円柱状施錠軸部５ｃの途中にはC形止め輪１１が係合する環状溝１２を形成してある。受座２の後面開放部の底面と前記C形止め輪１１の間には平座金１３が挿入されている。これによってハンドル４の施錠軸５は受座２の軸受孔３からの引き抜きを阻止されている。
【００１６】
施錠軸５の後端角軸部５ｄには公知の回転角度規制用円盤１４が相対回転不能に嵌められており、該円盤１４の切欠部の両端面が受座２の後端部の規制突起１５と係脱する。後端角軸部５ｄには止め金板６が相対回転不能に嵌められ、後端角軸部５ｄのねじ孔１６に螺合される六角ボルト１７によって施錠軸５に締付け固着されている。
【００１７】
止め金板６と六角ボルト１７の頭部間には平座金１８とバネ座金１９が挿入されており、該バネ座金１９の弾発力によって施錠軸５は背面側に引き寄せ付勢されている。
受座２の正面側には、ハンドル４の収容用凹部２０を有する縦長ケース部２１が下向きに延長形成されている。施錠軸５の前端部には連結用軸受部２２が突設されており、この連結用軸受部２２はハンドル４の背面凹部２３に挿入され、連結用軸受部２２とハンドル４は横断枢軸２４によって連結されている。ハンドル４は横断枢軸２４を中心として起伏回転自在であり、トーションスプリング２５によって没入方向に回転付勢されている。
【００１８】
上記実施例では、ハンドル４は施錠軸５と分離構成され、ハンドル４は不使用時には受座２の縦長ケース部２１に収容されるようになっているが、本発明の適用対象は、このような平面ハンドル型に限定されるものではない。すなわち、ハンドルと施錠軸を一体的に形成し、ハンドル部分を常時受座の外部に突出させておく所謂突起型のハンドルにも適用することができる。
【００１９】
図４に示した実施例では、軸受孔３の円周方向に沿った横溝を潤滑油剤溜り部７として追加し、前記縦溝と連絡させてある。
図５に示した実施例では、潤滑油剤溜り部７は螺旋状溝に形成されている。なお、潤滑油剤溜り部７は、施錠軸５側に形成することもできる。
【００２０】
【発明の効果】
以上のように本発明の扉用ロックハンドル装置では、施錠軸に形成したテーパー状施錠軸部を軸受孔に形成したテーパー状軸受孔部に引き寄せるようにして、ハンドルと受座を組立てているため、施錠軸の軸芯と軸受孔の軸芯が確実に一直線上に整列することになり、両者間にガタが発生せず、施錠軸と止め金板は正規位置からのずれや傾斜なしに回転動作する。そのため、止め金板と受金部は正規の密接した状態で係合し、施錠後の振動衝撃によって錠止が緩むことがない。
また、施錠軸の軸線が軸受孔の軸線に対して傾斜した状態で回転することがないため、軸受孔の前後の孔縁部が施錠軸によって削り取られて、前記ガタが拡大することもない。
【００２１】
しかも、テーパー状軸受孔部とテーパー状施錠軸部はその全面において面接触するものであるが、両者の界面には潤滑油剤溜り部から安定的に補給される潤滑油剤の薄膜が存在しているから、テーパー状施錠軸部はテーパー状軸受部に貼り付くことなく極めて円滑に回転することになり、作動の安定性と信頼性に優れている。
【図面の簡単な説明】
【図１】本発明の一実施例に係る扉用ロックハンドル装置の原理的な縦断面図である。
【図２】図１のＡ−Ａ線断面図である。
【図３】図１の扉用ロックハンドル装置に使用した台座の要部縦断面図である。
【図４】本発明の別の実施例における台座の要部縦断面図である。
【図５】本発明の他の実施例における台座の要部縦断面図である。
【符号の説明】
１  扉
２  受座
３  軸受孔
３ａ  テーパー状軸受孔部
４  ハンドル
５  施錠軸
５ａ  テーパー状施錠軸部
６  止め金板
７  潤滑油剤溜り部
８  潤滑油剤
【図１】
0003563383.tif 000002
【図２】
0003563383.tif 000003
【図３】
0003563383.tif 000004
【図４】
0003563383.tif 000005
【図５】
0003563383.tif 000006